(57)【要約】【課題】塗布内容液を簡易的に塗布する、携帯性に優れた塗布内容液の収容容器を提供する。【解決手段】塗布内容液の収容容器１０は、塗布内容液を収容した凹部１２を有する容器本体１３と、前記凹部を密封するシール手段２５とを備える。【選択図】図３
2017154766.tif 000002
【特許請求の範囲】
【請求項１】
塗布内容液を収容した凹部を有する容器本体と、
前記凹部を密閉するシール手段と、
を備えることを特徴とする塗布内容液の収容容器。
【請求項２】
使用時に前記容器本体との間に被塗布材を介在させた状態で前記容器本体に当接される当接部材を備える、請求項１に記載の塗布内容液の収容容器。
【請求項３】
前記当接部材は、使用時に前記容器本体に当接される部位に、前記凹部から流出した塗布内容液を吸収する吸収部材を有する、請求項２に記載の塗布内容液の収容容器。
【請求項４】
前記当接部材は、使用時に前記容器本体に当接される部位に複数の突起を有する、請求項２または３に記載の塗布内容液の収容容器。
【請求項５】
前記突起は先細り形状であり、かつブラシ状に互いに密集して配置されている、請求項４に記載の塗布内容液の収容容器。
【請求項６】
前記容器本体と前記当接部材とは、ヒンジを介して互いに連結されている、請求項２〜５のいずれか一項に記載の塗布内容液の収容容器。
【請求項７】
前記ヒンジは、前記容器本体と前記当接部材とを切り離し可能に相互連結する、請求項６に記載の塗布内容液の収容容器。
【請求項８】
前記シール手段は、前記凹部を囲繞すると共に前記容器本体と前記当接部材とを接合して前記凹部を密封する溶着部を有する、請求項１〜７のいずれか一項に記載の塗布内容液の収容容器。
【請求項９】
前記凹部は、その底壁の外面側からの押圧によって変形可能に構成されている、請求項１〜８のいずれか一項に記載の塗布内容液の収容容器。
【請求項１０】
前記凹部の底壁に、その開口幅が該凹部の開口幅より小さい少なくとも１つの小凹部を有する、請求項９に記載の塗布内容液の収容容器。
【請求項１１】
前記シール手段として、前記容器本体の、前記凹部の外周側に貼り付けられて該凹部内を密封するフィルム状のシール部材を備える、請求項１〜１０のいずれか一項に記載の塗布内容液の収容容器。
【発明の詳細な説明】
【技術分野】
【０００１】
本発明は、塗布内容液を簡易的に塗布する、携帯性に優れた塗布内容液の収容容器に関する。
【背景技術】
【０００２】
従来、例えば衣類の、シミや汚れが付着した部位に洗剤等を塗布する道具としては、下記特許文献１に開示されるような、塗布内容液を収容する容器の口部に取り付けられた塗布具付き計量キャップがある。つまり、この計量キャップは、通常の計量使用を可能とすると共に、計量キャップの胴体部分に別途に組み付けられた塗布具の筒体を、必要に応じて計量キャップの胴体につなぎ合わせてその相互間に内容物を収納可能な密封空間を形成することで計量キャップ内に存在する内容物を、塗布具を通して部分的に吐出するものである。
【先行技術文献】
【特許文献】
【０００３】
【特許文献１】特開２００７−１６８８８５号公報
【発明の概要】
【発明が解決しようとする課題】
【０００４】
しかしながら、特許文献１に記載された塗布具付き計量キャップは、ボトル状の容器本体の口部に装着されて使用されるものであるから鞄やハンドバック等に入れて携帯することは困難であり、携帯性に優れた塗布内容液の収容容器への要望があった。
【０００５】
それ故本発明は、塗布内容液を簡易的に塗布する、携帯性に優れた塗布内容液の収容容器を提供することを目的とする。
【課題を解決するための手段】
【０００６】
本発明は上記課題を解決するためになされたものであり、本発明の塗布内容液の収容容器は、塗布内容液を収容した凹部を有する容器本体と、前記凹部を密封するシール手段と、を備えることを特徴とするものである。
【０００７】
なお、本発明の塗布内容液の収容容器にあっては、使用時に前記容器本体との間に被塗布材を介在させた状態で前記容器本体に当接される当接部材を備えることが好ましい。
【０００８】
また、本発明の塗布内容液の収容容器にあっては、前記当接部材は、使用時に前記容器本体に当接される部位に、前記凹部から流出した塗布内容液を吸収する吸収部材を有することが好ましい。
【０００９】
さらに、本発明の塗布内容液の収容容器にあっては、前記当接部材は、使用時に前記容器本体に当接される部位に複数の突起を有することが好ましい。
【００１０】
さらに、本発明の塗布内容液の収容容器にあっては、前記突起は先細り形状であり、かつブラシ状に互いに密集して配置されていることが好ましい。
【００１１】
さらに、本発明の塗布内容液の収容容器にあっては、前記容器本体と前記当接部材とは、ヒンジを介して互いに連結されていることが好ましく、該ヒンジは、前記容器本体と前記当接部材とを切り離し可能に連結するものであることがより好ましい。
【００１２】
さらに、本発明の塗布内容液の収容容器にあっては、前記シール手段は、前記凹部を囲繞すると共に前記容器本体と前記当接部材とを接合して前記凹部を密封する溶着部を有することが好ましい。
【００１３】
さらに、本発明の塗布内容液の収容容器にあっては、前記凹部は、その底壁の外面側からの押圧によって変形可能に構成されていることが好ましい。
【００１４】
さらに、本発明の塗布内容液の収容容器にあっては、前記凹部の底壁に、その開口幅が該凹部の開口幅よりも小さい少なくとも１つの小凹部を有することが好ましい。
【００１５】
しかも、本発明の塗布内容液の収容容器にあっては、前記シール手段として、前記容器本体の、前記凹部の外周側に貼り付けられて該凹部内を密封するフィルム状のシール部材を備えることが好ましい。
【発明の効果】
【００１６】
本発明の塗布内容液の収容容器にあっては、使用者は、シール手段を除去し容器本体の凹部を開放することで、該凹部内の塗布内容液を被塗布材に塗布することができる。
【００１７】
したがって、本発明によれば、塗布内容液を簡易的に塗布することができ、携帯性に優れた塗布内容液の収容容器を提供することができる。
【図面の簡単な説明】
【００１８】
【図１】本発明の一実施形態の塗布内容液の収容容器を示し、（ａ）は使用前における上面側の斜視図であり、（ｂ）は使用前における下面側の斜視図である。
【図２】図１の塗布内容液の収容容器を組立て前の状態で示す斜視図である。
【図３】図１に示した塗布内容液の収容容器の使用例を示し、（ａ）はシール部材を剥がした直後の状態を示し、（ｂ）は実際に衣類の一部分に付着したシミや汚れを除去する様子を示すものである。
【図４】本発明の他の実施形態の塗布内容液の収容容器を組立て前の状態で示した斜視図である。
【図５】図４に示した塗布内容液の収容容器の使用例を示し、（ａ）はシール部材を剥がした直後の状態を示し、（ｂ）は実際に衣類の一部分に付着したシミや汚れを除去する様子を示すものである。
【図６】本発明の他の実施形態の塗布内容液の収容容器を組立て前の状態で示した斜視図である。
【図７】図６に示した塗布内容液の収容容器を示しており、（ａ）は使用前の状態を示す斜視図であり、（ｂ）は使用に際してシール部材を剥がした直後の様子を示す斜視図である。
【図８】本発明の他の実施形態の塗布内容液の収容容器を組立て前の状態で示す斜視図である。
【図９】図１に示した塗布内容液の収容容器の変形例を示す斜視図である。
【発明を実施するための形態】
【００１９】
以下、本発明の実施の形態を図面に基づき詳細に説明する。以下の説明では、衣類に部分的に洗剤を塗布してシミや汚れを除去する例を示すが、本発明はこれに限定されず、他の被塗布材（例えば布材や紙材、木材）に他の塗布内容液（例えば糊や漂白剤、塗料）を塗布する場合にも適用できるものである。ここに、図１は、本発明の一実施形態の塗布内容液の収容容器を示し、（ａ）は使用前における上面側の斜視図であり、（ｂ）は使用前における下面側の斜視図であり、図２は、図１の塗布内容液の収容容器を組立て前の状態で示す斜視図であり、図３は、図１に示した塗布内容液の収容容器の使用例を示し、（ａ）はシール部材を剥がした直後の状態を示し、（ｂ）は実際に衣類の一部分に付着したシミや汚れを除去する様子を示すものである。
【００２０】
図１に示すように、本実施形態の塗布内容液の収容容器１０は、塗布内容液の一例としての洗剤（洗剤成分を有する液体）を含有する塗布内容液含有部材１１を収容した凹部１２（本実施形態において、第１の凹部と記す。）を有する容器本体１３と、使用時に容器本体１３との間に衣類Ｃの一部分を介在させた状態で該容器本体１３に当接される当接部材１４を備えている。なお、塗布内容液含有部材１１を設けず、塗布内容液そのものを凹部１２内に収容してもよい。容器本体１３および当接部材１４は、合成樹脂材料を射出成形またはシート成形することにより形成することができる。容器本体１３の裏面（下面）側には、第１の凹部１２の形成によって突出した凸部１２’が形成されている。
【００２１】
容器本体１３の第１の凹部１２は、図２に示すように、略矩形の開口端を有すると共にその深さが開口幅よりも小さい浅型凹部として形成されている。より具体的には第１の凹部１２は略矩形の底壁１２ａと底壁１２ａの各側縁から立ち上がる側壁１２ｂとからなる。また、容器本体１３は、各側壁１２ｂの外縁から側方に張り出されたフランジ部（本実施形態において、第１のフランジ部と記す。）１６を有する。少なくとも底壁１２ａおよび側壁１２ｂは、後述のように第１の凹部１２の外面側（凸部１２’）を押圧した際に変形する厚みに形成することが好ましい。また、側壁１２ｂは、深さ方向で開口幅が狭くなる方向に傾斜していることが好ましく、これによれば、後述のように第１の凹部１２の外面側（凸部１２’）を押圧した際に第１の凹部１２を変形させ易いという利点がある。さらに、第１の凹部１２の底壁１２ａの外面（凸部１２’の上面）には、該凹部１２を外面側から押圧する際の滑り止めのため、ブラスト加工等により形成された図示しない粗面化部やローレット、複数のリブ等が形成されていてもよい。また、第１の凹部１２の側壁１２ｂには、使用時に塗布内容液含有部材１１の脱落を防止する図示しないリブまたは突起が形成されていてもよい。
【００２２】
本実施形態では、当接部材１４は容器本体１３と同様の形態を有しており、つまり、図１および図２に示すように、当接部材１４は凹部（本実施形態において、第２の凹部と記す。）１８を有しており、該第２の凹部１８は略矩形の開口端を有すると共にその深さが開口幅よりも小さい浅型凹部として形成されている。より詳細には、第２の凹部１８は略矩形の底壁１８ａと底壁１８ａの各側縁から立ち上がる側壁１８ｂとからなる。塗布内容液の収容容器１０の裏面（下面）側には、第２の凹部１８の形成によって突出した凸部１８’が形成されている。また、当接部材１４は各側壁１８ｂの外縁から側方に張り出されたフランジ部（本実施形態において、第２のフランジ部と記す。）１９を有している。少なくとも底壁１８ａおよび側壁１８ｂは、第２の凹部１８の外面側（凸部１８’）を押圧した際に変形する厚みに形成することが好ましい。また、側壁１８ｂは、深さ方向で開口幅が狭くなる方向に傾斜していることが好ましく、これによれば、第２の凹部１８の外面側（凸部１８’）を押圧した際に第２の凹部１８を変形させ易いという利点がある。さらに、第２の凹部１８の底壁１８ａの外面（凸部１８’の上面）には、該凹部１８を外面側から押圧する際の滑り止めのため、ショットブラスト加工等により形成された図示しない粗面化部やローレットが形成されていてもよい。また、第２の凹部１８の側壁１８ｂには、使用時に後述の吸収部材の脱落を防止する図示しないリブまたは突起が形成されていてもよい。
【００２３】
塗布内容液含有部材１１は、織布や不織布、紙、スポンジ、綿状パルプ等のシート状素材に洗剤成分を含む液体を含ませたものであり、該液体は、例えば少なくとも１種類の界面活性剤、溶剤、ｐＨ調整剤、水等からなるが、これに限らず、除去するシミや汚れの性質（水性、油性等）に応じて様々に変更することができる。
【００２４】
また、本実施形態では、当接部材１４の第２の凹部１８内に吸収部材２１が配設されている。吸収部材２１は、後述の使用時において、塗布内容液含有部材１１から流出し、汚れを取り込んだ液体を吸収し、該汚れを衣類に逆戻りさせない機能を有するものであり、その材料としては例えば、織布や不織布、吸水紙、綿状パルプ等を使用することができる。吸収部材２１は、吸水性を高めるため高分子吸収剤を含んでいてもよい。また、吸収部材２１として複合材、例えば綿状パルプのおもて面に織布や不織布を被せたものや綿状パルプを両面側で織布や不織布により挟み込んだものを使用してもよい。
【００２５】
また、本実施形態では、容器本体１３と当接部材１４とはヒンジ２２を介して互いに連結されている。ヒンジ２２は、使用者が容器本体１３と当接部材１４とを指で引き離すことができる強度に形成されていることが好ましく、具体的にはヒンジ２２の折曲部を全体に亘って薄肉に形成するか、折曲部にミシン目等の弱化部を形成することができる。
【００２６】
さらに、本実施形態では、容器本体１３の第１の凹部１２に塗布内容液含有部材１１が配置される共に、当接部材１４の第２の凹部１８に吸収部材２１が配置された後に、容器本体１３の第１のフランジ部１６の上面および当接部材１４の第２のフランジ部１９の上面に溶着によりあるいは接着剤を介して引き剥がし可能に貼り付けられた、シール手段としてのフィルム状のシール部材２５が設けられ、第１の凹部１２および第２の凹部１８内は密封されている。なお、シール部材２５は、当接部材１４の上面まで延出せず、第１の凹部１２のみを密封するものであってもよい。
【００２７】
次に本実施形態の塗布内容液の収容容器１０の使用例を図３を参照して説明する。まず初めに、使用者は容器本体１３の第１のフランジ部１６および当接部材１４の第２のフランジ部１９に共に貼り付けられたシール部材２５を引き剥がし、塗布内容液含有部材１１および吸収部材２１を露出させる。図３（ａ）にはシール部材２５が剥がされた直後の状態が示されている。次いで、使用者は、図３（ｂ）に示すように、当接部材１４の、第２の凹部１８が開口する上面（第２のフランジ部１９）上に衣類Ｃの、シミや汚れの付着した一部分を載せ、この状態で容器本体１３をヒンジ２２を基点に折り曲げて該容器本体１３を当接部材１４に重ね合わせる。この状態で使用者は、例えば親指と人差し指および中指で、収容本体１３の第１の凹部１２と当接部材１４の第２の凹部１８をそれらの外面側から挟み（つまり、第１の凹部１２の形成によって裏面側で突出した凸部１２’および第２の凹部１８の形成によって裏面側に突出した凸部１８’を挟み）、少なくとも凸部１２’を図３（ｂ）の矢印方向に押圧し変形させる。この際、揉み込むように押圧したり擦るように押圧したりしてもよい。これにより、塗布内容液含有部材１１に含まれた洗剤は衣類に流出し、シミや汚れを取り込んだ後、衣類の反対側に位置する当接部材１４の吸収部材２１に吸収される。
【００２８】
したがって、本実施形態の塗布内容液の収容容器１０によれば、携帯性に優れ、簡単にシミ抜きや汚れ落としを行うことができる。
【００２９】
また、本実施形態の塗布内容液の収容容器１０によれば、当接部材１４に吸収部材２１を設けたことから、汚れを取り込んだ洗剤が衣類に広がらず、衣類に輪ジミができるのを防ぐことができる。
【００３０】
さらに、本実施形態において、塗布内容液含有部材１１を収容する第１の凹部１２をその外面側からの押圧によって変形可能に構成したので、塗布内容液含有部材１１を衣類Ｃに圧接させて塗布内容液含有部材１１に含まれた洗剤を確実に衣類に移すことができ、シミ抜きや汚れ落としをより確実に行うことができる。同様に、当接部材１４の第２の凹部１８をその外面側からの押圧によって変形可能に構成した場合には、吸収部材２１を衣類Ｃに圧接させて衣類Ｃに流出した洗剤を確実に吸収することができる。
【００３１】
さらに、本実施形態において、ヒンジ２２を破断可能に構成した場合には、容器本体１３と当接部材１４とを切り離して使用することが可能となり、衣類Ｃの縁（例えば袖口や襟先）から離れた部位のシミや汚れを落とすことができる。
【００３２】
次いで、本発明にしたがう他の実施形態について説明する。図４は本発明の他の実施形態の塗布内容液の収容容器を組立て前の状態で示した斜視図である。
【００３３】
本実施形態の塗布内容液の収容容器３０は、図４に示すように、洗剤（洗剤成分を含む液体）を含有する塗布内容液含有部材３１を収容した凹部３２を有する容器本体３３と、使用時に容器本体３３との間に衣類Ｃの一部分を介在させた状態で容器本体３３に当接される当接部材３４とを備えている。容器本体３３の裏面（下面）側には、凹部３２の形成によって突出した凸部３２’が形成されている（図５（ｂ））。容器本体３３と当接部材３４とはヒンジ３５を介して、好ましくは引き離し可能に連結されている。また、先の実施形態と同様、凹部３２の周囲にはフランジ部３６が形成されている。容器本体３３の上面および当接部材３４の上面には凹部３２内を密封する、シール手段としてのフィルム状のシール部材３８が溶着によりあるいは接着剤を介して引き剥がし可能に貼り付けられている。塗布内容液含有部材３１は、先の実施形態で説明したものと同様に構成されるため、詳細な説明は省略する。図中の符号４１,４２は、シール部材３８を剥がす際に指でつまむことができるつまみである。
【００３４】
本実施形態では、容器本体３３に形成された凹部３２は、底壁３２ａと該底壁３２ａの各側縁から立ち上がる側壁３２ｂを有しており、さらに、底壁３２ａにその開口幅が該凹部３２の開口幅よりも小さい小凹部４４が設けられることによりジャバラ状に形成されている。図示例では小凹部４４が１つのみ設けられているが、小凹部４４は２つ以上設けられていてもよく、この場合、複数の小凹部４４は深さ方向にその開口幅が順次小さくなる。容器本体３３の裏面（下面）側には、小凹部４４の形成によって突出した小凸部４４’が形成されている（図５（ｂ））。
【００３５】
一方、当接部材３４には、先の実施形態とは異なり吸収部材を収容する凹部は設けられておらず、板状に形成されると共に、その上面の所定領域に複数の球面状の突起４６が設けられている。所定領域は、ヒンジ３５を介して容器本体３３と当接部材３４とを折り畳んだ際に容器本体３３の凹部３２に対応する領域である。このような突起４６は射出成形またはシート成形により当接部材３４と一体に形成することができ、突起４６の高さは約１〜３ｍｍとすることが好ましい。
【００３６】
図５を参照して、本実施形態の塗布内容液の収容容器３０の使用例について説明する。まず初めに、使用者は容器本体３３および当接部材３４の上面に貼り付けられたシール部材３８を引き剥がし、塗布内容液含有部材３１を露出させる。図５（ａ）にはシール部材３８が剥がされた直後の状態が示されている。次いで、使用者は、図５（ｂ）に示すように、板状の当接部材３４の上面（突起４６が形成された面）上に衣類Ｃの、シミや汚れの付着した一部分を載せ、容器本体３３をヒンジ３５を基点に折り曲げて、該容器本体３３を当接部材３４の上面に対向させる。この状態で使用者は、例えば親指と人差し指および中指で、収容本体３３の小凹部４４の外面（小凸部４４’）と当接部材３４の下面を挟み、小凹部４４の外面（小凸部４４’）を図５（ｂ）の矢印方向に押圧する。そうすると、小凸部４４’および凸部３２’がジャバラのように順次潰れていき大きな押込変形量を得ることができので、塗布内容液含有部材３１に含まれる洗剤を確実に衣類Ｃに染み出させることができる。なお、本実施形態では、使用時に、衣類Ｃと当接部材３４との間にシート状の吸収体（図示せず）を配置してもよく、このようにすれば、衣類Ｃに流出し、汚れを取り込んだ洗剤が該吸収体に吸収されて衣類Ｃに広がらず、衣類Ｃに輪ジミができるのを防ぐことができる。吸収体は、先の実施形態で説明した吸収部材２１と同様の材料から構成することができる。
【００３７】
また、本実施形態の塗布内容液の収容容器３０によれば、当接部材３４に複数の突起４６を設けたことから、突起４６による増圧効果やこすり洗いの効果により、洗浄性（シミ抜き、汚れ落とし効果）を高めることができる。
【００３８】
さらに、本実施形態においても、ヒンジ３５を破断可能に構成した場合には、容器本体３３と当接部材３４とを引き離して使用することが可能となり、衣類Ｃの縁（例えば袖口や襟先）から離れた部位のシミや汚れを落とすことができる。
【００３９】
次に本発明のさらに他の実施形態について説明する。図６は本発明の他の実施形態の塗布内容液の収容容器を組立て前の状態で示した斜視図であり、図７は図６の塗布内容液の収容容器を示しており、（ａ）は使用前の状態を示す斜視図であり、（ｂ）は使用に際してシール部材を剥がした直後の様子を示す斜視図である。
【００４０】
本実施形態の塗布内容液の収容容器５０は、洗剤（洗剤成分を含む液体）を含有する塗布内容液含有部材５１を収容した凹部５２（本実施形態において、第１の凹部と記す。）を有する容器本体５３と、使用時に容器本体５３との間に衣類Ｃの一部分を介在させた状態で容器本体５３に当接される当接部材５４とを備えている。容器本体５３と当接部材５４とはヒンジ５５を介して、好ましくは引き離し可能に連結されている。
【００４１】
先の実施形態と同様、第１の凹部５２は、底壁５２ａと底壁５２ａの各側縁から立ち上がる側壁５２ｂとからなり、深さが開口幅よりも小さい浅型凹部として形成されている。容器本体５３の裏面側には、第１の凹部５２の形成によって突出した凸部（本実施形態では図示省略）が形成されている。また、第１の凹部５２の周囲にはフランジ部（本実施形態において、第１のフランジ部と記す。）５６が形成されている。
【００４２】
当接部材５４には、第１の凹部５２と同様の凹部（本実施形態において、第２の凹部と記す。）５８が設けられており、第２の凹部５８は底壁５８ａと該底壁５８ａの各側縁から立ち上がる側壁５８ｂとからなる。第２の凹部５８の周囲にはフランジ部５９（本実施形態において、第１のフランジ部と記す。）が形成されている。第１の凹部５２および第２の凹部５８は、容器本体５３の上面および当接部材５４の上面に溶着によりあるいは接着剤を介して引き剥がし可能に貼り付けられた、シール手段としてのフィルム状のシール部材６０によって密封されている。
【００４３】
第２の凹部５８内には、先細り形状の多数の突起（または毛体）６１ａがベース板６１ｂ上に立設されたブラシ部材６１が配置されている。ブラシ部材６１は溶着または接着剤等により底壁５８ａに固定するか、側壁５８ｂにリブや突起を形成して抜け止め保持することができる。図示例では、第２の凹部５８上にもシール部材６０が被せられるため、ブラシ部材６１の各突起６１ａの上端の高さ位置は、第２のフランジ部５９の上面と面一かそれよりも低くする必要があるが、第２の凹部５８上にシール部材６０を延出させない場合には、ブラシ部材６１の各突起６１ａは、第２のフランジ部５９の上面より上に突出してもよい。また、図示例では、突起６１ａは当接部材５４とは別体であるが、当接部材５４を射出成形やシート成形により形成する場合には成形時に突起６１ａを一体形成してもよい。
【００４４】
本実施形態では、容器本体５３には当接部材５４が形成された側とは反対側の端部にスリット６３が形成されて、当該端部が２つの舌片部６４，６５に分割されている。シール部材６０はこれらの舌片部６４，６５上にも延出しているが、シール部材６０は、そのうち一方（図示例では左側）の舌片部６４には溶着または接着されておらず、他方（図示例では右側）の舌片部６５にのみ溶着または接着されている。さらに、シール部材６０が溶着または接着された方の舌片部６５と容器本体５３の本体部との境界ｐには、スリット６３の基端位置から延びる弱化部６７が形成されており、これにより該舌片部６５が容器本体５３の本体部から容易に切り離せるようになっている。弱化部６７は、例えばＶ字状溝による薄肉部やミシン目、あるいは上記境界ｐの複数個所に設けられた連結片等で形成することができる。このような切り離し可能な舌片部６５を設けることによりシール部材６０の除去を容易に行うことができる。具体的には、まず舌片部６５を指で図７（ａ）の矢印方向に引き起し弱化部６７を破断することで、該舌片部６５を容器本体５３の本体部から引きちぎることができる。このとき、シール部材６０は該舌片部６５に溶着または接着されているが、もう一方の舌片部６４には溶着または接着されていないため、図７（ｂ）に示すように、シート部材６０は前者の舌片部６５と共に引きはがずことができ、後者の舌片部６４は容器本体５３に残る。
【００４５】
シート部材６０を引き剥がし後の塗布内容液の収容容器５０の使用方法は、先の実施形態のものと同様であるため詳細な説明は省略するが、本実施形態では、当接部材５４にブラシ部材６１を設けたことにより、ブラシ部材６１による増圧効果やこすり洗いの効果により、洗浄性（シミ抜き、汚れ落とし効果）を高めることができる。また、本実施形態においても、使用時に衣類Ｃと当接部材５４のブラシ部材６１との間にシート状の吸収体（図示せず）を配置してもよく、このようにすれば、衣類Ｃに流出し、汚れを取り込んだ洗剤が該吸収体に吸収されて衣類Ｃに広がらず、衣類Ｃに輪ジミができるのを防ぐことができる。吸収体は、図１〜図３で示した実施形態における吸収部材２１と同様の材料から構成することができる。さらに、本実施形態においても、ヒンジ５５を破断し、容器本体５３と当接部材５４とを引き離して使用した場合には、衣類Ｃの縁（例えば袖口や襟先）から離れた部位のシミや汚れを落とすことができる。
【００４６】
次に、図８を参照して本発明の他の実施形態について説明する。図８は本発明の他の実施形態の塗布内容液の収容容器を組立て前の状態で示す斜視図である。
【００４７】
本実施形態の塗布内容液の収容容器７０は、洗剤（洗剤成分を含む液体）を含有する塗布液含有部材７１を収容した凹部７２を有する容器本体７３と、使用時に容器本体７３との間に衣類Ｃの一部分を介在させた状態で容器本体７３に当接される当接部材７４とを備えている。容器本体７３と当接部材７４とはヒンジ７５を介して、好ましくは引き離し可能に連結されている。また、ヒンジ７５は、ヒンジ７５を基点に容器本体７３と当接部材７４とを折り曲げると共に容器本体７３と当接部材７４との間に衣類Ｃ等を挟み込んだ際、ヒンジ７５と衣類Ｃの縁との間に移動代が形成される長さを有する。本実施形態では図示しないが図４および図５で示したように、容器本体７３の裏面（下面）側には、凹部７２の形成により突出する凸部が形成されている。
【００４８】
凹部７２は、底壁７２ａと底壁７２ａの各側縁から立ち上がる側壁７２ｂとからなり、側壁７２ｂの縁からはフランジ部７６が張り出している。さらにフランジ部７６の、ヒンジ７５とは反対側の端部にはつまみ（本実施形態において、第１のつまみと記す。）７８が形成されている。
【００４９】
凹部７２の底壁７２ａには、球面状の複数の突起８０が形成されている。これらの突起８０は、増圧効果やこすり洗い効果をもたらすものであり、その高さは約１〜３ｍｍとすることが好ましい。
【００５０】
当接部材７４は、本実施形態では板状をなし、当接部材７４の、ヒンジ７５とは反対側の端部には、当接部材７４と容器本体７３とをヒンジ７５を基点に折り曲げ、重ね合わせた際に第１のつまみ７８からずれる（つまり第１のつまみ７８とは重ならない）第２のつまみ８２が形成されている。また、当接部材７４の上面（当接部材７４と容器本体７３とをヒンジ７５を基点に折り曲げた際に容器本体７３と対向する面）には、球面状の複数の突起８４が形成されている。これらの突起８４は、増圧効果やこすり洗い効果をもたらすものであり、その高さは約１〜３ｍｍとすることが好ましい。
【００５１】
さらに、本実施形態では、使用前の状態で、容器本体７３と当接部材７４とは、凹部７２を囲繞するビード状の溶着部８６を介して互いに接合され、塗布内容液含有部材７１が配置された凹部７２内は密封されている。つまり、図８に示すように、射出成形やシート成形等により一体に成形された容器本体７３と当接部材７４とは互いに開いた状態にあり、この容器本体７３の凹部７２内に塗布内容液含有部材７１を挿入し、その後、容器本体７３のフランジ部７６に凹部７２を囲繞するように形成されているビード状の溶着部８６を超音波等により加熱、溶融させ、当接部材７４をヒンジ７５を基点に折り曲げて当該溶着部８６により容器本体７３と当接部材７４とを相互溶着する。これにより、塗布内容液含有部材７１が配置された凹部７２は密封される。溶着部８６および、凹部７２を覆う当接部材７４は、本発明におけるシール手段を構成する。使用に際しては、第１のつまみ７８および第２のつまみ８２をつまんで開方向に力を加えることで溶着部８６が破断され、容器本体７３と当接部材７４との間に衣類Ｃを挟みこむことができる。この際、本実施形態では、ヒンジ７５と衣類Ｃの縁との間に移動代が形成されるようヒンジ７５を長く形成したことから、容器本体７３および当接部材７４間に衣類Ｃを挟み込んだ状態で収容容器７０を前後に移動させることができ、部分的な汚れの洗浄効果を向上させることができる。一方、洗剤を衣類Ｃの縁から離れた部位に塗布したい場合にはヒンジ７５を破断し、容器本体７３と当接部材７４とを切り離して使用してもよい。
【００５２】
以上、本発明をいくつかの実施形態に基づき説明したが、本発明は上述した実施形態に限定されるものではなく、特許請求の範囲の記載内で適宜に変更、修正が可能である。特に、上記複数の実施形態で説明した容器本体と当接部材との構成は、様々に組み替えることが可能であり、例えば、図１〜図３の実施形態における当接部材１４と図４〜図７の実施形態における容器本体３３，５３との組み合わせや、図４および図５の実施形態におけるジャバラ形状の凹部３２および小凹部４４を有する容器本体３３と、図６の実施形態におけるブラシ部材６１を有する当接部材５４との組み合わせも可能である。さらに、上記実施形態の塗布内容液の収容容器では、塗布内容液を収容する凹部は１つであったが複数の凹部を有するものでもよい。例えば、図１で示した塗布内容液の収容容器の変形例は、図９に示すように、塗布内容液含有部材１１または塗布内容液そのものを収容する凹部１２がそれぞれ形成された複数の容器本体１３を弱化部ｗを介して切り離し可能に相互連結してなるものである。弱化部ｗはミシン目、狭幅の連結片、薄肉部等により形成することができる。このようになる収容容器は、必要数の容器本体１３のみを切り離し携帯することができる。
【産業上の利用可能性】
【００５３】
かくして、本発明によれば、塗布内容液を簡易的に塗布する、携帯性に優れた塗布内容液の収容容器を提供することができる。
【符号の説明】
【００５４】
１０，３０，５０，７０  塗布内容液の収容容器
１１，３１，５１，７１  塗布内容液含有部材
１２，１８，３２，５２，５８，７２  凹部
１３，３３，５３，７３  容器本体
１４，３４，５４，７４  当接部材
２１  吸収部材
２２，３５，５５，７５  ヒンジ
２５，３８，６０  シール部材
４４  小凹部
４６，８０，８４  突起
６１  ブラシ部材
６１ａ  突起
６１ｂ  ベース板
８６  溶着部
【図１】
2017154766.tif 000003
【図２】
2017154766.tif 000004
【図３】
2017154766.tif 000005
【図４】
2017154766.tif 000006
【図５】
2017154766.tif 000007
【図６】
2017154766.tif 000008
【図７】
2017154766.tif 000009
【図８】
2017154766.tif 000010
【図９】
2017154766.tif 000011